(57)【要約】【課題】浴室の外観を損なうことなく設置可能な浴室空調装置を提供する。【解決手段】浴室空調装置１Ａは、循環ユニット２と換気ユニット３が独立した構成である。循環ユニット２は、空気を吹き出す吹出用グリル４は装置本体５の下面に備えると共に、空気を吸い込む循環用グリル６は、装置本体５とは独立させ、循環用ダクト７を介して接続する。換気ユニット３は、空気を吸い込む換気用グリル８は、装置本体９とは独立させ、換気用ダクト１０を介して接続する。【選択図】        図１
2006125763.tif 000002
【特許請求の範囲】
【請求項１】
浴室内の空気を吸い込む吸込部と、
前記浴室内に空気を吹き出す吹出部と、
前記吸込部から空気を吸い込み、前記吹出部から空気を吹き出す送風手段と、
前記送風手段で吹き出される空気を加熱する加熱手段とを備えた浴室空調装置において、
前記吸込部を装置本体と独立させて、ダクトで前記装置本体と接続した
ことを特徴とする浴室空調装置。
【請求項２】
前記装置本体は、前記送風手段の下側を覆うと共に、前記送風手段と連通させて前記吹出部を取り付ける本体カバーを備えた
ことを特徴とする請求項１記載の浴室空調装置。
【請求項３】
前記装置本体は、前記ダクトが接続されるダクト接続部を側面に備えると共に、前記ダクト接続部と前記送風手段を連通させる風路を備えた
ことを特徴とする請求項２記載の浴室空調装置。
【請求項４】
前記装置本体は、側面に開閉自在な点検蓋を備えた
ことを特徴とする請求項１，２または３記載の浴室空調装置。
【請求項５】
前記装置本体は、前記浴室の天井板の上面に固定されて前記装置本体の位置決めを行う取付枠を備えた
ことを特徴とする請求項１，２，３または４記載の浴室空調装置。
【請求項６】
前記吹出部及び前記吸込部は、通風孔を有するグリル部と、前記グリル部を支持するベース部と、前記グリル部を前記ベース部に対してスライド自在に取り付けるスライド部とを備えた
ことを特徴とする請求項１，２，３，４または５記載の浴室空調装置。
【請求項７】
前記吸込部として、循環用吸込部が前記ダクトを介して接続されると共に、前記装置本体に前記送風手段と前記加熱手段と前記吹出部を有する循環ユニットと、
前記吸込部として、換気用吸込部が前記ダクトを介して接続されると共に、前記装置本体に前記送風手段を有する換気ユニットとを備え、
前記循環ユニットと前記換気ユニットが独立して構成される
ことを特徴とする請求項１，２，３，４，５または６記載の浴室空調装置。
【請求項８】
前記吸込部として、循環用吸込部が前記ダクトを介して接続されると共に、前記装置本体に前記送風手段と前記加熱手段と前記吹出部を有する循環ユニットと、
前記吸込部として、換気用吸込部が前記ダクトを介して接続されると共に、前記装置本体に前記送風手段を有する換気ユニットとを備え、
前記循環ユニットと前記換気ユニットが一体に構成される
ことを特徴とする請求項１，２，３，４，５または６記載の浴室空調装置。
【請求項９】
浴室の天井板に吹出部を取り付ける開口部を形成し、
装置本体の位置決めを行うガイド部とストッパ部を有する取付枠を、前記開口部の位置を基準として前記浴室の天井板の上面に取り付け、
前記浴室の天井板に備えられた点検口から前記装置本体を入れ、前記取付枠のガイド部をガイドとしてストッパ部に突き当たる位置まで前記装置本体を移動させ、
前記装置本体を前記取付枠に固定する押さえ部材を取り付け、
前記開口部から前記吹出部を挿入して、前記装置本体に固定する
ことを特徴とする浴室空調装置の施工方法。
【請求項１０】
前記開口部の位置を基準に前記取付枠の位置決めを行う治具を用いて、前記取付枠を前記浴室の天井板の上面に取り付ける
ことを特徴とする請求項９記載の浴室空調装置の施工方法。
【発明の詳細な説明】
【技術分野】
【０００１】
本発明は、浴室に設置され、浴室内の暖房、換気および乾燥を行う浴室空調装置及び浴室空調装置の施工方法に関する。詳しくは、空気の吸込部を本体から独立させて、本体とダクトで接続される構成とすることで、空気の吸込部及び吹出部の小型化を図り、浴室内で目立たないようにしたものである。
【背景技術】
【０００２】
従来より、浴室に温風を送出して暖房を行ったり、洗濯物の乾燥や換気を行う機能を備えた浴室用の空調装置が提供されている。このような浴室空調装置は、空気の吸込口や吹出口を有するフロントパネルが下面に備えられ、浴室の天井からフロントパネルが露出する形態で取り付けられる（例えば、特許文献１参照）。
【０００３】
【特許文献１】特開２００３−２９４２８９号公報
【発明の開示】
【発明が解決しようとする課題】
【０００４】
しかし、従来の浴室空調装置では、フロントパネルのサイズが大きいので、浴室の外観を損なうという問題があった。すなわち、フロントパネルは、４５０ｍｍ×３５０ｍｍ程度の大きさがあるので、浴室の天井では相当の面積を専有することになり、外観を損なってしまうおそれがあった。
【０００５】
また、空気の吹出口と吸込口の位置関係も１通りに決まっているので、設置の自由度が少ないという問題がある。
【０００６】
更に、従来の浴室空調装置の施工時には、天井開口に対して装置本体を持ち上げながら挿入して、装置本体のフランジ部を天井面にネジ等で取り付けるという作業を行うので、複数の作業者が必要になったり、一人で作業する場合においては作業がしづらいという問題がある。
【０００７】
本発明は、このような課題を解決するためになされたもので、浴室の外観を損なうことなく設置可能で、かつ施工の作業性の良い浴室空調装置及び浴室空調装置の施工方法を提供することを目的とする。
【課題を解決するための手段】
【０００８】
上述した課題を解決するため、請求項１の発明は、浴室内の空気を吸い込む吸込部と、浴室内に空気を吹き出す吹出部と、吸込部から空気を吸い込み、吹出部から空気を吹き出す送風手段と、送風手段で吹き出される空気を加熱する加熱手段とを備えた浴室空調装置において、吸込部を装置本体と独立させて、ダクトで装置本体と接続したことを特徴とする。
【０００９】
請求項２の発明は、請求項１の発明において、装置本体は、送風手段の下側を覆うと共に、送風手段と連通させて吹出部を取り付ける本体カバーを備えたことを特徴とする。
【００１０】
請求項３の発明は、請求項２の発明において、装置本体は、ダクトが接続されるダクト接続部を側面に備えると共に、ダクト接続部と送風手段を連通させる風路を備えたことを特徴とする。
【００１１】
請求項４の発明は、請求項１，２または３の発明において、装置本体は、側面に開閉自在な点検蓋を備えたことを特徴とする。
【００１２】
請求項５の発明は、請求項１，２，３または４の発明において、装置本体は、浴室の天井板の上面に固定されて装置本体の位置決めを行う取付枠を備えたことを特徴とする。
【００１３】
請求項６の発明は、請求項１，２，３，４または５の発明において、吹出部及び吸込部は、通風孔を有するグリル部と、グリル部を支持するベース部と、グリル部をベース部に対してスライド自在に取り付けるスライド部とを備えたことを特徴とする。
【００１４】
請求項７の発明は、請求項１，２，３，４，５または６の発明において、吸込部として、循環用吸込部がダクトを介して接続されると共に、装置本体に送風手段と加熱手段と吹出部を有する循環ユニットと、吸込部として、換気用吸込部がダクトを介して接続されると共に、装置本体に送風手段を有する換気ユニットとを備え、循環ユニットと換気ユニットが独立して構成されることを特徴とする。
【００１５】
請求項８の発明は、請求項１，２，３，４，５または６の発明において、吸込部として、循環用吸込部がダクトを介して接続されると共に、装置本体に送風手段と加熱手段と吹出部を有する循環ユニットと、吸込部として、換気用吸込部がダクトを介して接続されると共に、装置本体に送風手段を有する換気ユニットとを備え、循環ユニットと換気ユニットが一体に構成されることを特徴とする。
【００１６】
請求項９の発明は、浴室の天井板に吹出部を取り付ける開口部を形成し、装置本体の位置決めを行うガイド部とストッパ部を有する取付枠を、開口部の位置を基準として浴室の天井板の上面に取り付け、浴室の天井板に備えられた点検口から装置本体を入れ、取付枠のガイド部をガイドとしてストッパ部に突き当たる位置まで装置本体を移動させ、装置本体を取付枠に固定する押さえ部材を取り付け、開口部から吹出部を挿入して、装置本体に固定することを特徴とする。
【００１７】
請求項１０の発明は、請求項９の発明において、開口部の位置を基準に取付枠の位置決めを行う治具を用いて、取付枠を浴室の天井板の上面に取り付けることを特徴とする。
【発明の効果】
【００１８】
本発明の浴室空調装置によれば、空気の吸込部を装置本体とダクトを介して接続して、吸込部を装置本体と独立させたので、吸込部と吹出部が独立した部品となる。
【００１９】
これにより、吸込部及び吹出部が小型化され、浴室の天井で占める面積が少なくて済み、浴室の外観を向上させることができる。
【００２０】
また、吸込部及び吹出部の設置自由度が増すので、最適な暖房効率や換気効率等が得られる位置に吸込部及び吹出部を設置可能となる。
【００２１】
更に、取付枠を天井板上に取り付け、取付枠をガイドとして装置本体を移動させて所定の位置に装置本体を固定することで、装置本体を持ち上げながら固定作業等を行う必要がなく、施工時の作業性が向上し、一人でも容易に施工が行える。
【発明を実施するための最良の形態】
【００２２】
以下、図面を参照して本発明の浴室空調装置及び浴室空調装置の施工方法の実施の形態について説明する。
【００２３】
＜浴室空調装置の概要＞
図１は第１の実施の形態の浴室空調装置１Ａの一例を示す構成図で、図１（ａ）は浴室空調装置１Ａを備えた浴室５１の側面図、図１（ｂ）は浴室５１の天井パネル５２を下面から見た平面図である。
【００２４】
第１の実施の形態の浴室空調装置１Ａは、循環ユニット２と換気ユニット３を備える。循環ユニット２と換気ユニット３は独立した構成で、それぞれ浴室５１の天井パネル５２の上面に設置される。
【００２５】
循環ユニット２は、空気を吹き出す吹出用グリル４は装置本体５の下面に備えると共に、空気を吸い込む循環用グリル６は装置本体５と独立させ、循環用ダクト７を介して装置本体５と接続する。
【００２６】
換気ユニット３は、空気を吸い込む換気用グリル８は装置本体９と独立させ、換気用ダクト１０を介して装置本体９と接続する。
【００２７】
このように、各グリルを独立した構成とすることで、浴室５１に露出する各グリルを小型化して目立たなくすると共に、設置の自由度を増加させる。
【００２８】
＜循環ユニットの構成例＞
図２は循環ユニット２の一例を示す斜視図、図３は循環ユニット２の底面図、図４，図５は循環ユニット２の内部構成図、図６は循環ユニット２の正面図、図７は循環ユニット２の分解斜視図で、次に、循環ユニット２の構成について説明する。ここで、図４は図３のＡ−Ａ断面図、図５（ａ）は図３のＢ−Ｂ断面図、図５（ｂ）は図３のＣ−Ｃ断面図である。
【００２９】
循環ユニット２は、装置本体５にファンユニット１１を備える。ファンユニット１１は送風手段を構成し、回転駆動される多翼のファン１２と、ファン１２を回転させるファンモータ１３と、ファンモータ１３が取り付けられると共に風路を形成するファンケース１４を備える。
【００３０】
本例のファンユニット１１は、ファン１２の軸方向に沿ったファンケース１４の下面が開口して吸込口１５が形成される。また、ファンケース１４の下面には、ファン１２の接線方向に沿った風路と連通した吹出口１６が、吸込口１５と独立して形成される。
【００３１】
装置本体５は、下面に本体カバー１７を備える。本体カバー１７は、ファンケース１４の吹出口１６と対向する部位は開口し、吸込口１５の下面は隠蔽され、ファンケース１４の下面と本体カバー１７の間の空間によって循環用風路１８が形成される。
【００３２】
装置本体５は、一の側面にファンケース１４と独立して循環用吸込口１９を備える。循環用吸込口１９は、循環用風路１８を介してファンユニット１１の吸込口１５と連通する。
【００３３】
装置本体５は、ファンユニット１４の吹出口１６から本体カバー１７の開口へ連通し、循環用風路１８と独立した吹出用風路２０を備え、吹出用風路２０の下側に吹出用グリル４を固定する取付部２１を備える。取付部２１は、例えば本体カバー１７に形成したネジ孔等で構成される。
【００３４】
また、吹出用風路２０はヒータ２２を備える。ヒータ２２は例えばＰＴＣヒータ等で構成される加熱手段で、ヒータ２２に通電されてヒータ２２が加熱されると、吹出用風路２０を通る送風が加熱され、温風が吹き出すようになっている。
【００３５】
装置本体５は、取付枠２３により天井パネル５２に取り付けられる。取付枠３は、左右両側のガイド部２４ａ，２４ｂと、ガイド部２４ａ，２４ｂを繋ぐストッパ部２５を備える。取付枠２３は、ストッパ部２５と対向して開口部２６が形成され、開口部２６に取付枠押さえ板２７が取り付けられる。
【００３６】
ガイド部２４ａ，２４ｂは、コの字型の断面形状を有し、装置本体５の側面下部に形成された突き出し部５ａの左右両側を保持する。また、ガイド部２４ａ，２４ｂの開口部２６側の端部には、取付枠押さえ板２７が固定される取付片２８を備える。取付片２８には、例えばネジ孔が形成される。更に、一方のガイド部２４ａは、装置本体５の循環用吸込口１９と連通する循環用ダクト接続部２９を備える。循環用グリル６は、図２等に示すように、循環用ダクト７を介して装置本体５の循環用ダクト接続部２９に接続される。
【００３７】
ストッパ部２５は上片に爪部２５ａを有し、爪部２５ａが装置本体５の突き出し部５ａの後端側を保持する。
【００３８】
取付枠押さえ板２７は、取付枠２３の取付片２８に固定される取付片３０を両端に備える。取付片３０には例えば貫通孔が形成され、取付枠２３の取付片２３に取付枠押さえ板２７の取付片３０を突き当て、ネジ３１で締結することで、取付枠２３の開口部２６に取付枠押さえ板２７が固定される。
【００３９】
また、取付枠押さえ板２７は上片に爪部２７ａを有し、爪部２７ａが装置本体５の突き出し部５ａの前端側を保持する。
【００４０】
装置本体５は、例えば正面側となる側面に点検蓋５ｂを備える。点検蓋５ｂはネジ５ｃによって開閉自在な構成であり、点検蓋５ｂを開けることで、装置本体５内を点検可能な構成である。
【００４１】
なお、点検蓋５ｂの内側には、図示しない制御基板を備えて、制御基板を容易に交換可能な構成としても良い。
【００４２】
図８は吹出用グリル４の要部構成を示す断面図である。吹出用グリル４は吹出部を構成し、通気孔４ａを有するグリル部４ｂの上側に、装置本体５の吹出用風路２０と嵌る形状を有するスライド部３２を備える。吹出用グリル４は、スライド部３２を吹出用風路２０に嵌めることで、吹出用風路２０を介してファンユニット１４の吹出口１６と連通する。本例では、吹出用風路２０で吹出用グリル４のベース部を構成する。
【００４３】
吹出用グリル４は、装置本体５の取付部２１に形成したネジ孔２１ａと連通する貫通孔３３を備える。循環ユニット２の取付方法の詳細は後述するが、装置本体５は、吹出用風路２０の位置が天井パネル５２に形成した開口部５３に合うように天井パネル５２に載せられる。
【００４４】
吹出用グリル４は、天井パネル５２の下面から開口部５３に挿入され、スライド部３２が吹出用風路２０に嵌められる。そして、吹出用グリル４の貫通孔３３からネジ３４を挿入して、ネジ３４が取付部２１のネジ孔２１ａに締結されて、天井パネル５２を挟み込む形態で吹出用グリル４が装置本体５に固定される。
【００４５】
ここで、吹出用グリル４のスライド部３２は、装置本体５の吹出用風路２０に対してスライド移動できるように構成され、スライド部３２の吹出用風路２０に嵌っている部分の長さが可変となることで、天井パネル５２の厚みの違いを吸収できる構成となっている。
【００４６】
図９は循環用グリル６の構成図で、図９（ａ）は正面断面図、図９（ｂ）は側断面図である。循環用グリル６は循環用吸込部を構成し、通気孔６ａを有するグリル部６ｂと、循環用ダクト７と接続されるチャンバー３５を備える。チャンバー３５はベース部を構成し、下側に循環用グリル６を固定する取付部３６を備える。取付部３６は、例えばネジ孔３６ａ等で構成される。
【００４７】
循環用グリル６は、チャンバー３５と嵌る形状を有するスライド部３７を備える。循環用グリル６は、スライド部３７をチャンバー３５に嵌めることで、チャンバー３５を介して循環用ダクト７と連通する。
【００４８】
循環用グリル６は、チャンバー３５の取付部３６に形成したネジ孔３６ａと連通する貫通孔３８を備える。循環用ダクト６の取付方法の詳細は後述するが、チャンバー３５は、天井パネル５２に形成した開口部５４に位置が合うように載せられる。
【００４９】
循環用グリル６は、天井パネル５２の下面から開口部５４に挿入され、スライド部３７がチャンバー３５に嵌められる。そして、循環用グリル６の貫通孔３８からネジ３９を挿入して、ネジ３９が取付部３６のネジ孔３６ａに締結されて、天井パネル５２を挟み込む形態で循環用グリル６がチャンバー３５に固定される。
【００５０】
ここで、循環用グリル６のスライド部３７は、図８で説明した吹出用グリル４のスライド部３２と同様の構成で、チャンバー３５に対してスライド移動できるように構成され、天井パネル５２の厚みの違いを吸収できる構成となっている。
【００５１】
＜換気ユニットの構成例＞
図１０は換気ユニット３の構成図で、図１０（ａ）は底面図、図１０（ｂ）は図１０（ａ）のＤ−Ｄ断面図、図１０（ｃ）は図１０（ａ）のＥ−Ｅ断面図であり、次に、換気ユニット３の構成について説明する。
【００５２】
換気ユニット３は、装置本体９にファンユニット４１を備える。ファンユニット４１は送風手段を構成し、回転駆動される多翼のファン４２と、ファン４２を回転させるファンモータ４３と、ファンモータ４３が取り付けられると共に風路を形成するファンケース４４を備える。
【００５３】
本例のファンユニット４１は、ファン４２の軸方向に沿ったファンケース４４の下面が開口して吸込口４５が形成される。また、ファン４２の接線方向に沿った風路と連通した吹出口４６が側面に形成される。
【００５４】
装置本体９は、下面に本体カバー４７を備え、ファンケース４４の下面と本体カバー４７の間の空間によって換気用風路４８が形成され、吸込口４５の下面は隠蔽される。
【００５５】
装置本体９は、吹出口４６を備えた側面に対して例えば９０度の位置にある一の側面にファンケース４４と独立して換気用吸込口４９を備える。換気用吸込口４９は、換気用風路４８を介してファンユニット４１の吸込口４５と連通する。
【００５６】
そして、換気用吸込口４９に換気用ダクト接続部４９ａを備えて、図１等に示す換気用ダクト１０が接続される。なお、換気ユニット３の吹出口４６には、屋外へ排気する排気用ダクト５０が接続される。
【００５７】
また、換気用グリル８は換気用吸込部を構成し、図９で説明したチャンバーを介して換気用ダクト１０に接続される。ここで、換気用グリル８は、図９で説明した循環用グリル６と同じ構成を有し、天井パネル５２を挟み込む形態で換気用グリル８がチャンバーに固定され、また、天井パネル５２の厚みの違いを吸収できる構成となっている。
【００５８】
＜浴室空調装置の動作例＞
次に、浴室空調装置１Ａの動作を各図を参照して説明する。浴室空調装置１Ａは、例えば、浴室５１内を暖房する暖房運転モード、換気を行う換気運転モード、洗濯物等を乾燥させる乾燥運転モード、扇風機として利用する涼風運転モード等が実行できる構成である。
【００５９】
暖房運転モードでは、換気ユニット３は停止させた状態で、循環ユニット２を駆動制御する。すなわち、ファンモータ１３を駆動してファン１２を回転させると共に、ヒータ２２を駆動する。ファン１２が回転すると、ファンユニット１１の吸込口１５から空気が吸い込まれる。これにより、装置本体５の循環用風路１８及び装置本体５に接続された循環用ダクト７等を介して、循環用グリル６から浴室５１内の空気が装置本体５のファンユニット１１に吸い込まれる。
【００６０】
ファンユニット１１に吸い込まれた空気は、吹出用風路２０を介して吹出用グリル４から浴室５１内に吹き出される。そして、ヒータ２２は吹出用風路２０に配置されるので、ヒータ２２が駆動されて加熱されると、吹出用風路２０を通る空気が温められて吹出用グリル４から吹き出す。
【００６１】
これにより、浴室５１内の空気を循環させながら浴室５１内を暖房して、温度を上げることができる。
【００６２】
換気運転モードでは、循環ユニット２は停止させた状態で、換気ユニット３を駆動制御する。すなわち、ファンモータ４３を駆動してファン４２を回転させる。ファン４２が回転すると、ファンユニット４１の吸込口４５から空気が吸い込まれる。これにより、装置本体９の換気用風路４８及び装置本体９に接続された換気用ダクト１０等を介して、換気用グリル８から浴室５１内の空気が装置本体９のファンユニット４１に吸い込まれる。
【００６３】
ファンユニット４１に吸い込まれた空気は、吹出口４６を介して排気用ダクト５０から屋外へ排出される。また、浴室５１内の空気が屋外に排出されることで、図示しない浴室ドア等に設けた空気取入口から、洗面所等の空気が吸い込まれる。
【００６４】
これにより、浴室５１内の湯気や湿気を排出して結露等を抑制し、カビの発生を抑えることができる。
【００６５】
乾燥運転モードでは、循環ユニット２及び換気ユニット３を駆動制御する。すなわち、循環ユニット２では、ファンモータ１３を駆動してファン１２を回転させると共に、ヒータ２２を駆動する。
【００６６】
ファン１２が回転すると、上述したように、循環用ダクト７を介して循環用グリル６から浴室５１内の空気が吸い込まれ、ファンユニット１１に吸い込まれた空気は、吹出用グリル４から浴室５１内に吹き出される。そして、ヒータ２２が駆動されて加熱されると、吹出用風路２０を通る空気が温められて吹出用グリル４から吹き出す。
【００６７】
換気ユニット３では、ファンモータ４３を駆動してファン４２を回転させる。ファン４２が回転すると、上述したように、換気用ダクト１０を介して換気用グリル８から浴室５１内の空気が吸い込まれ、ファンユニット４１に吸い込まれた空気は、排気用ダクト５０から屋外へ排出される。また、浴室５１内の空気が屋外に排出されることで、図示しない浴室ドア等に設けた空気取入口から、洗面所等の空気が吸い込まれる。
【００６８】
これにより、浴室５１内に温風を吹き出して、図示しないランドリパイプに掛けられた洗濯物を乾燥させることができる。また、浴室５１内の空気の一部は屋外に排気されて換気が行われるので、湿気等を排出して、洗濯物の乾燥を促進することができる。
【００６９】
涼風運転モードでは、循環ユニット２及び換気ユニット３を駆動制御する。すなわち、循環ユニット２では、ファンモータ１３を駆動してファン１２を回転させる。
【００７０】
ファン１２が回転すると、上述したように、循環用ダクト７を介して循環用グリル６から浴室５１内の空気が吸い込まれ、ファンユニット１１に吸い込まれた空気は、吹出用グリル４から浴室５１内に吹き出される。涼風運転モードでは、ヒータ２２を駆動しないことで、浴室５１内の温度に応じた風が吹出用グリル４から吹き出される。
【００７１】
換気ユニット３では、ファンモータ４３を駆動してファン４２を回転させる。ファン４２が回転すると、上述したように、換気用ダクト１０を介して換気用グリル８から浴室５１内の空気が吸い込まれ、ファンユニット４１に吸い込まれた空気は、排気用ダクト５０から屋外へ排出される。また、浴室５１内の空気が屋外に排出されることで、図示しない浴室ドア等に設けた空気取入口から、洗面所等の空気が吸い込まれる。
【００７２】
これにより、浴室５１内に涼風を吹き出して、扇風機として利用することができる。また、浴室５１内の空気の一部は屋外に排気されて換気が行われるので、湿気等を排出することができる。
【００７３】
本例の浴室空調装置１Ａは、循環ユニット２においては、図１に示すように、吹出用グリル４を備えた装置本体５と循環用グリル６が独立しており、吹出用グリル４と循環用グリル６の設置の自由度が高い。
【００７４】
また、循環ユニット２と換気ユニット３が独立しており、換気用グリル８が吹出用グリル４及び循環用グリル６と独立しているので、換気用グリル８も設置の自由度が高い。
【００７５】
これにより、入浴者に吹き出す風が直接当たらず、図示しないランドリパイプ等に掛けられた洗濯物に風が当たるような位置に吹出用グリル４が配置されるように装置本体５を設置すると共に、吸気に適した位置に循環用グリル６を配置することができ、入浴者に寒さを感じさせることなく、暖房効率を上げ、更には乾燥効率や換気効率を上げることができる。
【００７６】
また、各グリルを独立させたことで、個々のグリルを小型化できる。これにより、浴室５１の外観を向上させることができる。なお、各グリルの大きさは、例えば３３０ｍｍ×６０ｍｍ程度となり、従来と比較して、大幅に小型化できる。
【００７７】
更に、本例の循環ユニット２は、図２等に示すように、装置本体５の下面は本体カバー１７で塞がれて、ファンユニット１１の吸込口１５が浴室５１内に露出しない構成である。これにより、ファン１２の回転音が浴室５１内に漏れることを抑えて、浴室５１内に静音化を図ることができる。
【００７８】
同様に、本例の換気ユニット３は、図１０等に示すように、装置本体９の下面は本体カバー４７で塞がれて、ファンユニット４１の吸込口４５が浴室５１内に露出しない構成である。これにより、ファン４２の回転音が浴室５１内に漏れることを抑えて、浴室５１内に静音化を図ることができる。
【００７９】
また、本例の循環ユニット２は、循環用ダクト７が接続される循環用吸込口１９及び循環用ダクト接続部２９を装置本体５の側面に備えることで、循環用ダクト７が装置本体５の上側等に接続されず、薄型化を図ることができる。
【００８０】
＜浴室空調装置の施工方法例＞
図１１及び図１２は循環ユニット２の施工方法の一例を示す説明図で、次に、浴室空調装置１Ａの施工方法を、循環ユニット２を例に説明する。
【００８１】
まず、吹出用グリル４の設置位置を決め、天井パネル５２に所定の大きさの開口部５３を開ける。次に、開口部５３の位置を基準にして、取付枠２３の位置決めを行う。なお、取付枠２３の位置決めは、段ボール等を利用した簡単な治具を利用して、確実に行うことができるようにする。
【００８２】
例えば、開口部５３に嵌る折り曲げ片６１を有する位置決め板６２を備える。位置決め板６２の外形は、取付枠２３と一致するように構成される。まず、位置決め板６２の折り曲げ片６１を折り曲げ、天井パネル５２の点検口５５から位置決め板６２を入れ、折り曲げ片６１を天井パネル５２の開口部５３に嵌めて、位置決め板６２を設置する。
【００８３】
次に、天井パネル５２の点検口５５から取付枠２３を入れ、所定の向きで位置決め板６２に合わせて設置する。これにより、開口部５３の位置を基準にして、取付枠２３の位置決めを行うことができる。
【００８４】
なお、位置決め板６２は段ボール等で構成し、循環ユニット２を梱包する梱包箱に緩衝材等として同封すれば、低コストで提供できる。また、使用後の廃棄も容易である。
【００８５】
次に、取付枠２３を天井パネル５２に固定する。固定方法の一例としては、取付枠２３に合わせて天井パネル５２上に角材等の補強枠６３を配置し、接着剤で固定する。そして、補強枠６３に、取付枠２３をネジで固定する。
【００８６】
次に、位置決め板６２を外し、循環ユニット２の装置本体５を矢印Ｆ１で示すように天井パネル５２の点検口５５から入れ、所定の向きで取付枠２３の左右のガイド部２４ａ，２４ｂの間に入れる。
【００８７】
そして、矢印Ｆ２に示すように、ガイド部２４ａ，２４ｂに沿って装置本体５をスライドさせ、装置本体５を取付枠２３のストッパ部２５に突き当てる位置まで押し込んだ後、取付枠２３の開口部２６に取付枠押さえ板２７をネジ３１で固定する。
【００８８】
これにより、図７に示す装置本体５の突き出し部５ａの後端側が、図４に示すようにストッパ部２５の爪部２５ａで保持され、左右両側が図５で示すようにガイド部２４ａ，２４ｂで保持され、前端側が図４に示すように取付枠押さえ板２７の爪部２７で保持されて、装置本体５は、取付枠２３によって前後左右及び上下が位置決めされた状態で天井パネル５２の上面に固定される。なお、取付枠２３に装置本体５を固定すると、装置本体５の循環用吸込口１９と取付枠２３に備えた循環用ダクト接続部２９が連通する。
【００８９】
上述したように、取付枠２３は天井パネル５２に形成した開口部５３の位置を基準に位置決めされているので、取付枠２３にガイドさせて装置本体５を固定することで、装置本体５の吹出用風路２０が開口部５３と対向する。
【００９０】
次に、吹出用グリル４を、図８で説明したように、天井パネル５２の下面から開口部５３に挿入し、スライド部３２を吹出用風路２０に嵌める。吹出用グリル４のスライド部３２は、装置本体５の吹出用風路２０に対してスライド移動できるように構成され、天井パネル５２の厚みの違いは、スライド部３２の吹出用風路２０に嵌っている部分の長さが可変となることで吸収される。
【００９１】
そして、吹出用グリル４の貫通孔３３からネジ３４を挿入して、ネジ３４を取付部２１のネジ孔２１ａに締結して、天井パネル５２を挟み込む形態で吹出用グリル４を装置本体５に固定する。
【００９２】
循環用グリル６の設置は、循環用グリル６の設置位置を決め、天井パネル５２に所定の大きさの開口部５４を開ける。次に、チャンバー３５を天井パネル５２の点検口５５から入れ、開口部５４に位置決めする。そして、循環用グリル６を、天井パネル５２の下面から開口部５４に挿入し、スライド部３７をチャンバー３５に嵌める。
【００９３】
循環用グリル６でも、吹出用グリル４と同様に、スライド部３７はチャンバー３５に対してスライド移動できるように構成され、天井パネル５２の厚みの違いは、スライド部３７のチャンバー３５に嵌っている部分の長さが可変となることで吸収される。
【００９４】
次に、循環用グリル６の貫通孔３８からネジ３９を挿入して、ネジ３９を取付部６のネジ孔３６ａに締結して、天井パネル５２を挟み込む形態で循環用グリル６をチャンバー３５に固定する。
【００９５】
そして、装置本体５の循環用ダクト接続部２９とチャンバー３５を、循環用ダクト７で接続する。以上の工程で、循環ユニット２が設置される。
【００９６】
上述した循環ユニット２の設置は、天井パネル５２の点検口５５から行うので作業性が悪い。そこで、取付枠２３を利用して、装置本体５をスライドさせながら所定の取付位置に設置することで、作業性が改善される。また、吹出用グリル６を取り付けるための開口部５３との位置決めも確実に行われるので、作業ミスを大幅に減らすことができる。
【００９７】
また、装置本体５は、図７等に示す点検蓋５ｂが天井パネル５２の点検口５５に向いて設置されるので、点検口５５から点検蓋５ｂを開けて、基板の交換等が容易に行える。
【００９８】
換気ユニット３の設置は、換気ユニット３は装置本体５に換気用グリルを備えていないので、設置場所の自由度が高く、例えば、屋外への排気用ダクト５０の設置に合わせて、天井パネル５２の上に設置および固定する。また、排気用グリル８の設置は、循環用グリルの設置と同じ施工方法で行う。
【００９９】
＜浴室空調装置の設置例＞
図１３〜図１５は浴室空調装置１Ａの他の設置例を示す構成図で、図１３（ａ），図１４（ａ）及び図１５（ａ）は浴室空調装置１Ａを備えた浴室５１の側面図、図１３（ｂ），図１４（ｂ）及び図１５（ｂ）は浴室５１の天井パネル５２を下面から見た平面図である。
【０１００】
上述した図１に示す設置例では、浴室５１の浴槽５１ａの上方に吹出用グリル４が配置されるように循環ユニット２の装置本体５を設置し、循環用グリル６は吹出用グリル４と並べて配置した例である。また、排気用グリル８は浴室５１の壁際に配置した例である。
【０１０１】
これに対して、図１３に示す例では、循環用グリル６を排気用グリル８と並べて浴室５１の壁際に配置した例である。また、図１４に示す設置例では、吹出用グリル４と循環用グリル６と換気用グリル８を並べて浴槽５１ａの上方に配置した例である。
【０１０２】
循環用グリル６は循環ユニット２の装置本体５と循環用ダクト７で接続されるので、図１３に示すように、吹出用グリル４と離して配置することも可能である。
【０１０３】
また、換気ユニット３は循環ユニット２と独立しており、換気ユニット３も換気用グリル８が換気用ダクト１０を介して接続されるので、図１４に示すように、排気用ダクト５０の配置等に応じて、位置を自在に選ぶことができる。
【０１０４】
図１５に示す設置例では、循環ユニット２と換気ユニット３を隣接して配置した例である。このような配置としても、循環用グリル６が循環ユニット２とは独立し、換気用グリル８が換気ユニット３とは独立しているので、各グリルが１箇所に集中配置されることなく、効率や外観を考慮して、適切な位置に各グリルを設置可能である。
【０１０５】
図１６は第２の実施の形態の浴室空調装置１Ｂの設置例を示す構成図で、図１６（ａ）は浴室空調装置１Ｂを備えた浴室５１の側面図、図１６（ｂ）は浴室５１の天井パネル５２を下面から見た平面図である。
【０１０６】
第２の実施の形態の浴室空調装置１Ｂは、循環ユニット２の装置本体５の左右両側の側面に循環用吸込口を設けて、循環用ダクト接続部２９を備えたものである。そして、各循環用ダクト接続部２９に循環用ダクト７を接続して、２個の循環用グリル６が接続可能な構成である。２個の循環用グリル６は独立して配置可能であるので、浴室５１内の温度分布等に応じて偏りなく吸気が可能な位置に循環用グリル６を配置可能となり、循環効率を高めることが可能である。
【０１０７】
図１７は第３の実施の形態の浴室空調装置１Ｃの設置例を示す構成図で、図１７（ａ）は浴室空調装置１Ｃを備えた浴室５１の側面図、図１７（ｂ）は浴室５１の天井パネル５２を下面から見た平面図である。
【０１０８】
第３の実施の形態の浴室空調装置１Ｃは、循環ユニット２と換気ユニット３を上下に重ねて一体構成としたものである。すなわち、装置本体７１に図５に示すファンユニット１１と図１０に示すファンユニット４１を備え、装置本体７１の下面に吹出用グリル４を備えると共に、循環用ダクト接続部２９に連通する循環用風路と、換気用ダクト接続部４９ａに連通する換気用風路が独立して構成されるようにしたものである。
【０１０９】
このような構成としても、循環用グリル６及び換気用グリル８が装置本体７１とは独立しているので、各グリルが１箇所に集中配置されることなく、効率や外観を考慮して、適切な位置に各グリルを設置可能である。また、循環用ユニット２と換気用ユニット３が一体であるので、施工が容易となる。
【産業上の利用可能性】
【０１１０】
本発明は、浴室乾燥機等と称され、浴室内の暖房及び換気、洗濯物の乾燥等の機能を有する浴室用の空調装置に適用される。
【図面の簡単な説明】
【０１１１】
【図１】第１の実施の形態の浴室空調装置の一例を示す構成図である。
【図２】循環ユニットの一例を示す斜視図である。
【図３】循環ユニットの底面図である。
【図４】循環ユニットの内部構成図である。
【図５】循環ユニットの内部構成図である。
【図６】循環ユニットの正面図である。
【図７】循環ユニットの分解斜視図である。
【図８】吹出用グリルの要部構成を示す断面図である。
【図９】循環用グリルの構成図である。
【図１０】換気ユニットの構成図である。
【図１１】循環ユニットの施工方法の一例を示す説明図である。
【図１２】循環ユニットの施工方法の一例を示す説明図である。
【図１３】浴室空調装置の他の設置例を示す構成図である。
【図１４】浴室空調装置の他の設置例を示す構成図である。
【図１５】浴室空調装置の他の設置例を示す構成図である。
【図１６】第２の実施の形態の浴室空調装置の設置例を示す構成図である。
【図１７】第３の実施の形態の浴室空調装置の設置例を示す構成図である。
【符号の説明】
【０１１２】
１・・・浴室空調装置、２・・・循環ユニット、３・・・換気ユニット、４・・・吹出用グリル、５・・・装置本体、６・・・循環用グリル、７・・・循環用ダクト、８・・・換気用グリル、９・・・装置本体、１０・・・換気用ダクト、１１・・・ファンユニット、１２・・・ファン、１３・・・ファンモータ、１４・・・ファンケース、１５・・・吸込口、１６・・・吹出口、１７・・・本体カバー、１８・・・循環用風路、１９・・・循環用吸込口、２０・・・吹出用風路、２１・・・取付部、２２・・・ヒータ、２３・・・取付枠、２４ａ，２４ｂ・・・ガイド部、２５・・・ストッパ部、２５ａ・・・爪部、２６・・・開口部、２７・・・取付枠押さえ板、２７ａ・・・爪部、２８・・・取付片、２９・・・循環用ダクト接続部、３０・・・取付片、３１・・・ネジ、３２・・・スライド部、３３・・・貫通孔、３４・・・ネジ、３５・・・チャンバー、３６・・・取付部、３７・・・スライド部、３８・・・貫通孔、３９・・・ネジ、４１・・・ファンユニット、４２・・・ファン、４３・・・ファンモータ、４４・・・ファンケース、４５・・・吸込口、４６・・・吹出口、４７・・・本体カバー、４８・・・換気用風路、４９・・・換気吸込口、４９ａ・・・換気用ダクト接続部、５０・・・排気用ダクト、５１・・・浴室、５１ａ・・・浴室、５２・・・天井パネル、５３・・・開口部、５４・・・開口部、５５・・・点検口
【図１】
2006125763.tif 000003
【図２】
2006125763.tif 000004
【図３】
2006125763.tif 000005
【図４】
2006125763.tif 000006
【図５】
2006125763.tif 000007
【図６】
2006125763.tif 000008
【図７】
2006125763.tif 000009
【図８】
2006125763.tif 000010
【図９】
2006125763.tif 000011
【図１０】
2006125763.tif 000012
【図１１】
2006125763.tif 000013
【図１２】
2006125763.tif 000014
【図１３】
2006125763.tif 000015
【図１４】
2006125763.tif 000016
【図１５】
2006125763.tif 000017
【図１６】
2006125763.tif 000018
【図１７】
2006125763.tif 000019